(57)【要約】  ユーザ装置（ＵＥ）側での基準信号の受信強度に基づいて異なる時間間隔で基準信号が送信されるように基準信号の送信をコントロールする装置及び方法が提供される。更に、基準信号を測定するための構成情報を受け取り、その構成情報は、送信強度の異なる基準信号が送信される時間間隔に関する指示を含むものである装置及び方法が提供される。【選択図】図５Ｃ
2015526035.tif 000002
【特許請求の範囲】
【請求項１】
ユーザ装置での基準信号の受信強度に基づいて異なる時間間隔で基準信号が送信されるように基準信号の送信をコントロールすることを含む方法。
【請求項２】
前記基準信号の送信をコントロールするためにミュート及び／又は電力上昇スキームが使用される、請求項１に記載の方法。
【請求項３】
前記時間間隔を定義することを更に含む、請求項１又は２に記載の方法。
【請求項４】
前記ユーザ装置に前記時間間隔について通知することを更に含む、請求項１から３のいずれかに記載の方法。
【請求項５】
前記ユーザ装置における前記基準信号の受信強度についての前記ユーザ装置からのレポートを受け取ることを更に含む、請求項１から４のいずれかに記載の方法。
【請求項６】
協働マルチポイント送信の場合に、チャンネル状態情報基準信号アクチベートパターンを適用することを更に含む、請求項１から５のいずれかに記載の方法。
【請求項７】
基準信号を測定するための構成情報を受け取ることを含み、その構成情報は、受信強度の異なる基準信号が送信される時間間隔に関する指示を含むものである方法。
【請求項８】
前記構成情報は、基準信号の送信をコントロールするために使用されるミュート及び／又は電力上昇スキームに関する指示を含む、請求項７に記載の方法。
【請求項９】
強い又は弱い基準信号を受信するように受信器を適応させるために受信器の入力ダイナミックレンジを前記時間間隔で調整することを更に含む、請求項７又は８に記載の方法。
【請求項１０】
前記基準信号の受信強度に関するレポートを送信することを含む、請求項７から９のいずれかに記載の方法。
【請求項１１】
協働マルチポイント送信の場合に、前記構成情報は、チャンネル状態情報基準信号アクチベートパターンに関する指示を含む、請求項６から１０のいずれか１項に記載の方法。
【請求項１２】
移動ネットワークへの接続を与えるように構成された接続ユニットと；
ユーザ装置における基準信号の受信強度に基づいて異なる時間間隔で基準信号が送信されるように、基準信号の送信をコントロールするように構成されたプロセッサと；
を備えた装置。
【請求項１３】
基準信号の送信をコントロールするためにミュート及び／又は電力上昇スキームが使用される、請求項１２に記載の装置。
【請求項１４】
前記プロセッサは、更に、時間間隔を定義するように構成される、請求項１２又は１３に記載の装置。
【請求項１５】
時間間隔に関してユーザ装置に通知するように更に構成される、請求項１２から１４のいずれか１項に記載の装置。
【請求項１６】
ユーザ装置における基準信号の受信強度に関してユーザ装置からレポートを受け取るように更に構成される、請求項１２から１５のいずれか１項に記載の装置。
【請求項１７】
協働マルチポイント送信では、チャンネル状態情報基準信号アクチベーションパターンを適用するように更に構成される、請求項１２から１６のいずれか１項に記載の装置。
【請求項１８】
移動ネットワークへの接続を与えるように構成された接続ユニットと；
基準信号を測定するための構成情報を受信するように構成されたプロセッサと；
を備え、その構成情報は、受信強度の異なる基準信号が送信される時間間隔に関する指示を含むものである、装置。
【請求項１９】
前記構成情報は、基準信号の送信をコントロールするために使用されるミュート及び／又は電力上昇スキームに関する指示を含む、請求項１８に記載の装置。
【請求項２０】
前記プロセッサは、更に、強い又は弱い基準信号を受信するように前記接続ユニットを適応させるために前記時間間隔において前記接続ユニットの入力ダイナミックレンジを調整するように構成される、請求項１８又は１９に記載の装置。
【請求項２１】
前記基準信号の受信強度に関するレポートを送信するように構成される、請求項１８から２０のいずれか１項に記載の装置。
【請求項２２】
協働マルチポイント送信では、前記構成情報は、チャンネル状態情報基準信号アクチベーションパターンに関する指示を含む、請求項１８から２１のいずれか１項に記載の装置。
【請求項２３】
処理装置のためのプログラムを含むコンピュータプログラム製品において、前記プログラムが前記処理装置で実行されるときに請求項１から６のいずれか１項に記載のステップを遂行するためのソフトウェアコード部分を備えたコンピュータプログラム製品。
【請求項２４】
前記コンピュータプログラム製品は、前記ソフトウェアコード部分が記憶されたコンピュータ読み取り可能な媒体を含む、請求項２３に記載のコンピュータプログラム製品。
【請求項２５】
前記プログラムは、前記処理装置の内部メモリに直接ロード可能である、請求項２４に記載のコンピュータプログラム製品。
【請求項２６】
処理装置のためのプログラムを含むコンピュータプログラム製品において、前記プログラムが前記処理装置で実行されるときに請求項７から１１のいずれか１項に記載のステップを遂行するためのソフトウェアコード部分を備えたコンピュータプログラム製品。
【請求項２７】
前記コンピュータプログラム製品は、前記ソフトウェアコード部分が記憶されたコンピュータ読み取り可能な媒体を含む、請求項２６に記載のコンピュータプログラム製品。
【請求項２８】
前記プログラムは、前記処理装置の内部メモリに直接ロード可能である、請求項２７に記載のコンピュータプログラム製品。
【発明の詳細な説明】
【技術分野】
【０００１】
本発明は、弱いチャンネルコンポーネントを推定するための装置、方法及びコンピュータプログラム製品に関する。
【背景技術】
【０００２】
本書で使用する略語には、次の意味を適用する。
ＡＤＣ：アナログ／デジタルコンバーター
ＡＧＣ：自動利得コントロール
ＡＰ：アクセスポイント
ＣＡ：協働エリア
ＣＣ：チャンネルコンポーネント
ＣＤＭ：コード分割多重化
ＣｏＭＰ：協働マルチポイント送信
ＣＳＩ：チャンネル状態情報
ｅＮＢ：改善型ノードＢ
ＦＤＭ：周波数分割多重化
ＩＱ：基本帯域表現における信号のコンポーネント
ＩＳＤ：サイト間距離
ＪＴ：共同送信
ＬＴＥ：長期進化
ＬＴＥ−Ａ：ＬＴＥ−アドバンスト
ＭＩＭＯ：多入力多出力
ＭＳＥ：平均二乗エラー
ＭＵ：マルチユーザ
ＯＦＤＭ：直交周波数分割多重化
ＲＥ：リソースエレメント
ＲＳ：基準信号
ＲＳＲＰ：基準信号受信電力
Ｒｘ：受信
ＳＩ：調査アイテム
ＳＩＮＲ：信号対干渉及び雑音比
ＴＤＭ：時分割多重化
Ｔｘ：送信
ＵＥ：ユーザ装置
ＷＢ：ワイドバンド
【０００３】
本発明の実施形態は、３ＧＰＰ、ＬＴＥ、ＬＴＥ−Ａのような移動無線システム概念、特に、ＣｏＭＰのための将来の最適化に関する。ＥＵファンドプロジェクトＡｒｔｉｓｔ４Ｇでは、アドバンストＣｏＭＰがダウンリンク送信に対して試験されており、特に、ＩＦＭ−Ａと称する新規な干渉軽減スキームが共同送信（ＪＴ）ＣｏＭＰに基づいて開発された。この新規な干渉軽減の枠組みは、３ＧＰＰ  ＣｏＭＰ  ＳＩからこれまで報告されているものに勝る顕著な性能利得を約束して開発されたものである。例えば、同様のシミュレーション仮定では、４×２  ＭＵ  ＭＩＭＯシナリオを基準として比較すると、干渉軽減（ＩＦＭ−Ａ）枠組みに対して２００％を越える利得が可能であると思われる。両方のケースは、理想的なチャンネル推定のためのものであるが、ＣｏＭＰシステムではより高い感受性が期待される。
【０００４】
実際的なＪＴ  ＣｏＭＰシステムでは、正確なチャンネル推定が非常に重要であり、これは、ＩＭＦ−Ａでは、弱いチャンネルコンポーネントについて特に言えることである。チャンネル推定の改善は、システムレベル性能を高める上で役立つことが分かった。
【０００５】
それ故、上述した性能利得の顕著な部分をレバレッジするには非常に精巧なＣＳＩ推定及びフィードバック概念が要求され、これは、低い移動速度から非常に適度な移動速度に対しても言えることである。
【発明の概要】
【発明が解決しようとする課題】
【０００６】
従って、特に、弱いチャンネルコンポーネントのチャンネル推定に関してＣＳＩ推定クオリティを著しく改善することが望まれる。同時に、基準信号オーバーヘッドを小から中程度に保持しなければならない。
【課題を解決するための手段】
【０００７】
本発明の実施形態は、この状態に対処するもので、改善されたチャンネル推定クオリティを提供することを目的とする。
【０００８】
本発明の第１の態様によれば、ユーザ装置（ＵＥ）側での基準信号の受信強度に基づいて異なる時間間隔で基準信号が送信されるように基準信号の送信をコントロールする装置及び方法が提供される。
【０００９】
基準信号の送信をコントロールするためにミュート及び／又は電力上昇スキームが使用される。
【００１０】
時間間隔は、動的に定義される。
【００１１】
ユーザ装置は、時間間隔について通知される。
【００１２】
ユーザ装置における基準信号の受信強度についてのユーザ装置からのレポートが受け取られる。
【００１３】
協働マルチポイント送信の場合に、チャンネル状態情報基準信号アクチベートパターンが適用される。
【００１４】
本発明の第２の態様によれば、基準信号を測定するための構成情報を受け取り、その構成情報は、受信強度の異なる基準信号が送信される時間間隔に関する指示を含むものである装置及び方法が提供される。
【００１５】
構成情報は、基準信号の送信をコントロールするために使用されるミュート及び／又は電力上昇スキームに関する指示を含む。
【００１６】
受信器の入力ダイナミックレンジは、強い又は弱い基準信号を受信するように受信器を適応させるために各時間間隔に調整される。
【００１７】
基準信号の受信強度に関するレポートが送信される。
【００１８】
協働マルチポイント送信の場合に、構成情報は、チャンネル状態情報基準信号アクチベートパターンに関する指示を含む。
【００１９】
本発明の更に別の態様によれば、処理装置のためのプログラムを備え、処理装置において各プログラムが実行されたとき本発明の方法を遂行するためのソフトウェアコード部分を含むコンピュータプログラム製品が提供される。
【００２０】
コンピュータプログラム製品は、各ソフトウェアコード部分が記憶されたコンピュータ読み取り可能な媒体を含む。
【００２１】
コンピュータプログラム製品は、処理装置の内部メモリに直接的にロードすることができる。
【００２２】
これら及び他の目的、特徴、細部、及び効果は、添付図面を参照してなされた本発明の実施形態の以下の詳細な説明からより完全に明らかとなろう。
【図面の簡単な説明】
【００２３】
【図１】単一の協働エリア（ＣＡ）が３６本のワイドバンド（ＷＢ）ビームで２７個のＵＥにサービスする状態を示す。
【図２】本発明の一実施形態によるサイトアクチベーションパターンを示す。
【図３】ＬＴＥリリース１０のＬＴＥ−Ａに対して定義されたＣＳＩ  ＲＳを示す。
【図４】本発明の一実施形態により異なるカバーシフトへのチャンネル推定概念の拡張を示す。
【図５Ａ】弱い及び強いチャンネルコンポーネントを測定する問題、及び本発明の実施形態による解決策を示す。
【図５Ｂ】弱い及び強いチャンネルコンポーネントを測定する問題、及び本発明の実施形態による解決策を示す。
【図５Ｃ】弱い及び強いチャンネルコンポーネントを測定する問題、及び本発明の実施形態による解決策を示す。
【図６Ａ】本発明の実施形態による装置の一例を示す。
【図６Ｂ】本発明の実施形態による装置の一例を示す。
【発明を実施するための形態】
【００２４】
本発明の実施形態を以下に説明する。しかしながら、この説明は、一例としてなされたものに過ぎず、ここに述べる実施形態は、本発明をそれに限定するものであると理解してはならない。
【００２５】
しかしながら、本発明の実施形態を詳細に説明する前に、チャンネル推定クオリティを改善する問題に関する幾つかの事柄を以下に述べる。
【００２６】
特に、上述した干渉軽減枠組みについては、１つの重要な役割は、ネットワーク全体を舗装するいわゆる協働エリア（ＣＡ）を、いわゆるカバーシフト概念と共に新規な干渉フロアシェーピング技術によりデカップルし、主として重畳するＣＡにすることである。
【００２７】
これは、性能分析に関して非常に有益であり、又はここでは、より重要なチャンネル推定に関して、試験を単一のＣＡに限定することができる。不都合なことに、単一のＣＡのサイズは、比較的大きくなければならず、例えば、規範的に３つのサイトを含み、サイト当たり３セクタのケースでは９個のセルとなる。セル当たり４個のＴｘアンテナとの組み合わせでは、各ＣＡは、合計３６個のチャンネルコンポーネント（ＣＣ）で形成される。
【００２８】
ＣＡ内の多数のＣＣは、非常に小さいので、いわゆる部分的ＣｏＭＰ概念は、レポートを、Ｒｘ電力がスレッシュホールドＴＨより高い当該ＣＣに制限する。理想的なＣＳＩ推定に比して僅かな質低下しか生じないように選択されたスレッシュホールドでは、幾つかのＵＥのための当該ＣＣが数個から１０個又は２０個となる。
【００２９】
図１は、ＵＥに対するＣＣの典型的な分布を示している。ＣＣの異なる強度エリアは、異なるグレーの陰影により指示されている。図１の例は、３６本のＷＢビーム（ｘ軸）で２７個のＵＥ（ｙ軸）にサービスする単一のＣＡを示している。色、又はより正確には、グレースケールは、ＣＣの信号強度｜ｈkm｜2、従って、量子化ビットの最適な割り当てに関連している。強度が前記スレッシュホールドＴＨより低いためにレポートされない非レポートＣＣＳは、暗である。右側では、ある電力ウインドウのためのＣＣの数が与えられ、そして更に、簡単なＩＱ量子化のための理想的な要求ビット数が与えられる。
【００３０】
明らかなように、図１の例では、最も高い強度（１．４から２．０の電力値）を有する１３ＣＣ；１から１．４の電力値をもつ４７ＣＣ；０．７から１の電力値をもつ４６ＣＣ；０．５から０．７の電力値をもつ４７ＣＣ；及び０．５より低い電力値をもち且つスレッシュホールドＴＨより高い１８５ＣＣ；がある。Ｒｘ電力の低下と共に、要求されるＣＳＩ推定精度が高くなることが明らかである。これは、重大な挑戦を招く。というのは、弱いチャンネルは、本来、推定がより困難であると同時に、正確さの要件が著しく厳格なためである。
【００３１】
ダイナミックレンジが広い専門の測定装置を仮定すれば、弱いＣＣ及び強いＣＣの推定を許すために直交ＣＳＩ  ＲＳの受信をほぼ干渉のないものに保証するに充分である。しかしながら、典型的なＵＥは、コスト上の理由で、今日、例えば、２０からおそらく２５ｄＢという極めて制約されたダイナミックレンジである。更なる進化で、ダイナミックレンジは、おそらく３０ｄＢに改善できるが、これは、上述した要件から依然外れている。
【００３２】
本発明の実施形態は、各Ｔｘアンテナから各ＵＥへの信号強度を示す図１から得られる幾つかの観察を利用する。弱いＣＣの場合、正確さの要件が高まり（ここでは、右側において、所与の数の量子化ビットから見られる）、これは、多数の弱いＣＣによって部分的に説明することができる。
【００３３】
ここで、重要なことは、弱いＣＣの場合に、上位ビットは意味がなく、省略できることである。言い換えると、最も強いＣＣに対する絶対的なＣＳＩ精度は、弱いＣＣの場合に高くなるが、ＣＣ当たりの相対的な精度は、全てのレベルのＲｘ電力に対してほぼ一定である。それ故、この相対的な精度は、非常に低く、且つ２５から３０ｄＢの範囲であり、即ち将来のＵＥのダイナミックレンジである。
【００３４】
この知識を利用できるが、ＵＥが強いＣＣ及び弱いＣＣを１つのＯＦＤＭ記号において同時に推定しなければならないことを回避するために適応ＣＳＩ  ＲＳ概念を要求する。そのようなケースでは、ＣＳＩ  ＲＳが異なる周波数ビンにある場合でも、強い信号が弱い信号を無効化する。図１を更に見ると、強いＣＣは、サービングセルを含むサイトから送信され、そして弱いＣＣは、典型的に、他のサイトからのものであることが示される。
【００３５】
それ故、図２による異なるサイトのためのＣＳＩ  ＲＳ送信のアクチベーションパターンが提案され、即ち各ＣＡにおいて、一度に１つのサイトだけがアクティブであり、そして他の２つのサイトがミュートされる。特に、図２は、最適な相互の直交性を保証する、ここに提案するサイトアクチベーションパターンを示す。同じ色（より正確には、グレースケール）のドットは、ＣＳＩ−ＲＳの同時送信を指示する。ＷＢビームの異なる色（より正確には、グレースケール）は、相互に直交するＣＳＩ−ＲＳを指示する。図２の中の数字は、協働エリアのＷＢビームへのインデックスを指示する。各セルは、４つのＷＢ（ワイドバンド）ビームを有し、各サイトは、３つのセルを有し、即ち３×４本のＷＢビームを有する。各共同エリアは、３つのサイトより成る（三角形で示された）。従って、各協働エリアには、全部で３×１２＝３６本のＷＢビームがある。
【００３６】
ここに示す実施形態によれば、他のＣＡからの相互干渉を最小にするために、隣接サイトにおいて常に直交ＲＳ（例えば、ＦＤＭ又はＴＤＭによる）が使用されるようにサイトアクチベーションが整合される。その結果、同じＣＳＩ  ＲＳを送信する次のサイトまでの距離は、少なくとも３つのサイト間距離（ＩＳＤ）であり、それ故、極めて弱い干渉しか発生しない。
【００３７】
この概念は、更に、弱いセル及び強いセルからの信号をＵＥにおいて同時に受信するのを回避するために送信を一度に１つのサイトに制限することを要求する。ＵＥは、強いＣＣ又は弱いＣＣのいずれかに対してＣＳＩ  ＲＳを受信し、ＵＥがそのダイナミック入力レンジをＲｘ電力に基づいて最適に適応させるようにすることが重要である。これは、ＡＧＣを適応させることにより行われるか、又はより進歩した形態では、更なるＵＥ処理のためにアナログ／デジタルコンバータ（ＡＤＣ）の上位ビット又は下位ビットを使用することにより行われる。
【００３８】
弱い信号と強い信号との間の直交性は、図３に示すように、ＬＴＥリリース１０に従って典型的なＣＳＩ  ＲＳサブフレームからＯＦＤＭ記号９及び１０を使用するように示唆する。それらの記号は、ＣＳＩ  ＲＳのみを含み、付加的なデータは含まず、そしてそれらは、１２個のアンテナポートを伴うサイト（３つのサイト、４つのＴｘアンテナ）がＡＰ当たり２つのＲＥをもつことができるように２４のＲＥを与える。これは、チャンネル推定の周波数選択性を高めるために使用されねばならない。
【００３９】
更なる部分として、図４は、ＣＳＩ  ＲＳの割り当てを、全体的な干渉軽減概念の部分として異なるカバーシフトにどのように適用するかも示している。この例では、上部の行は、番号１から１８で示された全部で１８本のＷＢビームを伴う３つのサイトを各々含む２つのＣＡを示す。下部の行は、カバーシフトの後の２つのＣＡを示し、即ちＣＡは、例えば、上部の行において右のＣＡに属している２つのサイトが、ここで、下部の行の左のＣＡに属するようにシフトされる。グレーのブロックは、干渉フロアシェーピングによるＣＡのデカップリングを指示する。このデカップリングは、セルの個々の垂直アンテナの傾斜及び電力割り当てにより達成される。より正確には、インバウンドのＷＢビームは、低い垂直傾斜と高いＴｘ電力を使用し、一方、アウトバウンドのＷＢビームは、強い垂直傾斜と組み合わせて低いＴｘ電力を有する。
【００４０】
従って、上述した実施形態によれば、次のような測定が実行される。
【００４１】
ＣＳＩ  ＲＳサイトアクチベーションパターンを適用して、強いＣＣと弱いＣＣを分離させる。上述したサイト当たりのアクチベーションは、一例に過ぎない。
【００４２】
更に、隣接するＣＡにおいて同時にアクティブなものに対して直交ＣＳＩ  ＲＳを使用し、同じＣＳＩ  ＲＳを送信するアクティブなサイト間の距離が最大となるようにする。
【００４３】
ＵＥは、強いＣＣ又は弱いＣＣに対する入力ダイナミックレンジを個々に調整して、同じ相対的正確さで全てのＣＣを推定できるようにする。
【００４４】
更に、ＯＦＤＭ記号９及び１０は、ＣＳＩ  ＲＳの送信だけに使用され、ＯＦＤＭ記号は、ＣＳＩ  ＲＳしか搬送しない。さもなければ、データ信号をミュートしなければならないか、又はＵＥが強い信号及び弱い信号を同時に受信することになる。
【００４５】
同じＣＳＩ  ＲＳが全てのカバーシフトに適用される。その結果、各カバーシフトにおいて、あるＡＰ範囲をもつＣＳＩ  ＲＳは、異なるサイトからと考える。従って、サイトの信号強度も変化し、ＵＥに知らされねばならない。
【００４６】
上述した実施形態の具現化に関する幾つかの細部を以下に説明する。
【００４７】
ＵＥ側での典型的な具現化について上述した。ＵＥ当たりのＡＧＣ値の適応は、全ての当該ＣＣに対して半スタティックなＲＳＲＰ測定に基づき実行されねばならない。理想的には、それらのＲＳＲＰ値をｅＮＢに報告して、どのＵＥがどんな強度をもつどんなＣＣを見るかについての知識を得るようにしなければならない。これは、送信されるＣＳＩ  ＲＳのグループ化を更に最適化して、強いＣＣ及び弱いＣＣを全てのＵＥに対してできるだけ分離するようにすることができる。
【００４８】
各サイトは、４つのＡＰをもつ３つのセルを有するので、特に弱いチャンネルにとってＣＳＩ推定精度を改善するために各電力上昇は更に別の自然のオプションである。各セルにおいてＣＳＩ  ＲＳの１／３だけがアクティブであるから、４．７ｄＢの上昇電力が考えられる。
【００４９】
今までのところ、オーバーヘッドは、非常に低く約４．３％であり（２４ＲＳ各フレーム１０ｍｓ２４／１６８／１０＝０．００４３）、従って、ＡＰ当たりのＲＥの数を２倍又は３倍にすることも考え、例えば、３又は４．７ｄＢの更なる雑音及び干渉減少を与えると共に、オーバーヘッドを１０％以下又はその近辺に依然保持することができる。
【００５０】
従って、全体的な概念は、今や、非常にパワフルである。
【００５１】
若干改善されただけのＵＥでも、弱いないし非常に弱いチャンネルコンポーネントを、Ｒｘ電力強度に関わりなく、非常に高い精度で且つ同様の性能で推定することができる。ミューティング及び電力上昇概念と全体的な干渉軽減枠組みとの組み合わせで、アクティブなＣＳＩ  ＲＳにおいて極めて低いセル間干渉を達成する。チャンネル推定は、ＣＡの相互デカップリングからのユーザデータと同様に有益であり、そして従来のセルラーネットワークに比して多数の種類の高いチャンネル推定性能を許す。
【００５２】
弱い及び強い基準信号の測定に関する問題と、本発明の実施形態によるその解決策を、図５Ａから５Ｃを参照して以下に詳細に説明する。
【００５３】
上述したように、弱いチャンネルコンポーネント（ＣＣ）を推定するためには（図５Ａを参照）、２つの主たる問題がある。第１に、それらＣＣに対するＳＩＮＲが悪い。上述した実施形態に示したように、これは、基本的に希薄なＣＳＩ  ＲＳに対して充分な直交リソースを保証する適切なシステム設計により解決することができる。
【００５４】
より詳細には、図５Ａは、非常に強い及び多数の比較的弱いチャンネルコンポーネントを伴う協働エリアにおける典型的な状態を示している。ノイズフロア及びＣＳＩ  ＲＳ間干渉フロア（適切な干渉信号設計により影響される）に基づいて、弱いチャンネルコンポーネントは、高いＳＩＮＲも有するが、強いチャンネルコンポーネントにより隠されることがある。
【００５５】
実世界のシステムのための第２の問題は、ＵＥ能力に限度があり、即ちＵＥ受信器のダイナミックレンジに限度があることであり、これは、典型的に、２０から、おそらく２５ｄＢの範囲である。強いＣＣに適応させることにより、弱いＣＣは、この強いＣＣによりある程度隠される。ＵＥが弱いＣＣに適応するよう試みられる場合には、受信器は、オーバーフローして、有用なチャンネル推定を不可能にする。図５Ｂを参照されたい。
【００５６】
図５Ｂは、弱いチャンネルコンポーネントが強いチャンネルコンポーネントによりマスクされ、弱いチャンネルコンポーネントの推定精度を制限することを詳細に示している。
【００５７】
弱いＣＣでは、ＣＳＩ  ＲＳが、最も強いＣＳＩ  ＲＳのＲｘ電力より低い１０から２０ｄＢであることを意味していることに注意されたい。例えば、適切なチャンネル予想について、そのようなＣＳＩ  ＲＳを高い精度で推定するために、３０から４０ｄＢのダイナミックレンジが必要となる。
【００５８】
従って、本発明の実施形態によれば、１つは、強いＣＣの推定、及び第２は、弱いＣＣの推定、の２つの測定段階が導入される。ｅＮＢは、ある測定及び時間において、弱いＣＣのみ又は強いＣＣのみがオンエアされることを保証する。
【００５９】
図５Ｃは、２つの測定段階をもつ、ここに提案するスキームを示す。「弱いＣＣ」段階では、強いＣＣ（ＣＳＩ  ＲＳ１）がスイッチオフされて、ＵＥがそのＡＧＣ値を適応させられるようにし、ＵＥの全ダイナミックレンジ及び／又は最適なダイナミックレンジを弱いＣＣ（ＣＳＩ  ＲＳ２）の推定に使用できるようにする。
【００６０】
この提案の有益さは、弱いＣＣ及び強いＣＣの正確な測定を同様の精度で行えることである。これは、システム全体の設定で、全てのＣＣの全てのＣＳＩ  ＲＳに対して良好なＳＩＮＲを保証するという仮定のもとで言えることに注意されたい。
【００６１】
具現化のために、ＣＳＩ測定を、ここで、ｅＮＢとＵＥとの間で調和させて、ＵＥが、どのタイムスロットにおいて弱い又は強いＣＳＩ  ＲＳだけが生じるか厳密に知って、それに応じてそのＡＧＣ値を適応させられるようにしなければならない。
【００６２】
これらの測定段階が直接的に標準化されるか、又はｅＮＢが情報に基づいてＰＤＣＣＨを経てＵＥへブロードキャスト又は送信しなければならない。
【００６３】
それら実施形態による装置のある例が示された図６Ａ及び６Ｂを参照して一般的な実施形態を以下に説明する。
【００６４】
図６Ａは、本発明の一般的な実施形態により、ネットワークコントロール要素、ベースステーション、等の対応装置の一例としてｅＮＢ１を示す。ｅＮＢ１は、接続ユニット１２（例えば、トランシーバ）及びプロセッサ１１を備えている。接続ユニット１２は、ネットワーク（例えば、図６Ｂに示す少なくとも１つのユーザ装置２）への接続を与えるように構成される。プロセッサ２１は、ユーザ装置（ＵＥ）側での基準信号の受信強度に基づいて基準信号が異なる時間間隔で送信されるように、基準信号の送信をコントロールするよう構成される。
【００６５】
例えば、基準信号は、弱い基準信号及び強い基準信号を含み、弱い基準信号は、第１の時間間隔中に送信され、そして第２の基準信号は、第２の時間間隔中に送信される。弱い基準信号と強い基準信号との間を区別するためにスレッシュホールドが使用される。
【００６６】
ある変形例によれば、多数のスレッシュホールドが使用されてもよく、即ち、ある受信強度範囲をもつ基準信号がある時間間隔で送信され、複数の受信強度範囲及びそれに対応する時間間隔が適用される。
【００６７】
又、プロセッサ１１は、時間間隔を定義するように構成されてもよいし、或いは又ネットワークにおいて時間間隔を事前に構成してもよい。
【００６８】
プロセッサ１１は、ユーザ装置（例えば、図６Ｂに示されたＵＥ２）に時間間隔について通知するように構成される。
【００６９】
図６Ｂは、基準信号に対して測定を行うことのできる装置の一例としてユーザ装置（ＵＥ）２を示している。ＵＥ２は、接続ユニット２２（例えば、トランシーバ）及びプロセッサ２１を備えている。接続ユニット２１は、ネットワーク（例えば、図６Ａに示すｅＮＢ１）への接続を与えるように構成される。プロセッサ２１は、基準信号を測定するための構成情報を受け取るように構成され、その構成情報は、異なる受信強度の基準信号が送られる時間間隔に関する指示を含む。
【００７０】
更に、プロセッサ２１は、基準信号を測定するための利得調整を遂行するように構成される。
【００７１】
例えば、プロセッサ２１は、特定の時間間隔中の基準信号の受信強度に基づき基準信号測定のための利得コントロールパラメータを調整するように構成される。
【００７２】
利得コントロールパラメータは、例えば、ＡＧＣパラメータである。
【００７３】
又、ｅＮＢ１及びＵＥ２は、データ及びプログラムを記憶するためにメモリ１３及び２３を各々備え、それにより、対応するプロセッサが、対応する機能を実行することができる。
【００７４】
基準信号は、例えば、本発明の実施形態に関連して上述したＣＳＩ  ＲＳである。
【００７５】
弱い基準信号及び強い基準信号は、互いに直交している。
【００７６】
本発明の更に別の態様によれば、上述したプロセッサにより実行される機能を遂行することを含む方法も提供される。
【００７７】
更に、処理手段又はモジュールにおいて実行されたときに前記方法のいずれかを遂行するためのコード手段を含む対応コンピュータプログラムも提供される。
【００７８】
従って、より詳細には、本発明の実施形態によれば、ベースステーションにおけるＴＸ信号のコントロールは、強い及び弱いＣＳＩ  ＲＳを異なる時間間隔においてＵＥにより測定でき、そしてＣＳＩ  ＲＳ測定のためのＡＧＣパラメータを調整するために各間隔についてＵＥに通知するように、遂行される。
【００７９】
前記実施形態及び本発明は、一般的に、上述した特定の例に限定されないことに注意されたい。
【００８０】
前記いずれの変更も、それらが代替物を除外すると明確に指示されない限り、それらが参照する各態様及び／又は実施形態に単一で又は組み合わせて適用できることを理解されたい。
【００８１】
上述した本発明の目的に対して、次のことに注意されたい。
−おそらくソフトウェアコード部分として具現化され、そして（デバイス、装置及び／又はそのモジュールの例として、或いは装置及び／又はモジュールを含むエンティティの例として）ネットワーク要素又はターミナルにおいてプロセッサを使用して実行される方法ステップは、ソフトウェアコード独立であり、且つその方法ステップにより定義される機能が保存される限り既知の又は将来開発されるプログラミング言語を使用して明示することができ；
−一般的に、いずれの方法ステップも、具現化される機能に関して本発明の考え方を変更せずにソフトウェアとして又はハードウェアにより具現化するのに適しており、
−上述した装置又はそのモジュールにおいておそらくハードウェアコンポーネントとして具現化される方法ステップ及び／又はデバイス、ユニット又は手段（例えば、上述した実施形態による装置の機能を実施するデバイス、ｅＮｏｄｅＢ、等）は、ハードウェア独立であり、そして既知の又は将来開発されるハードウェア技術或いはそれらのハイブリッド、例えば、ＭＯＳ（金属酸化物半導体）、ＣＭＯＳ（相補的ＭＯＳ）、ＢｉＭＯＳ（バイポーラＭＯＳ）、ＢｉＣＭＯＳ（バイポーラＣＭＯＳ）、ＥＣＬ（エミッタ結合ロジック）、ＴＴＬ（トランジスタ・トランジスタロジック）、等を使用し、例えば、ＡＳＩＣ（特定用途向けＩＣ（集積回路））コンポーネント、ＦＰＧＡ（フィールドプログラマブルゲートアレイ）コンポーネント、ＣＰＬＤ（コンプレックスプログラマブルロジックデバイス）コンポーネント、又はＤＳＰ（デジタルシグナルプロセッサ）コンポーネントを使用して具現化することができ；
−デバイス、ユニット又は手段（例えば、上述した装置、又はそれらの各手段のいずれか）は、個々のデバイス、ユニット又は手段として具現化できるが、これは、デバイス、ユニット又は手段の機能が保存される限り、システム全体にわたって分散された形態で具現化されることを除外するものではなく；
−装置は、半導体チップ、チップセット、又はそのようなチップ又はチップセットより成る（ハードウェア）モジュールによって表わされるが、これは、装置又はモジュールの機能が、ハードウェアで実施されるのではなくて、（ソフトウェア）モジュールにおけるソフトウェア、例えば、プロセッサ上で実行／ランするための実行可能なソフトウェアコード部分より成るコンピュータプログラム又はコンピュータプログラム製品として具現化される可能性を除外するものではなく；
−例えば、機能が互いに協働するか、互いに独立であるが、同じデバイスハウジング内にあるかに関わらず、デバイスは、装置、又は２つ以上の装置のアッセンブリとしてみなされる。
【００８２】
以上に述べた実施形態及び実施例は、例示のために過ぎず、本発明をそれに限定するものではないことに注意されたい。
【符号の説明】
【００８３】
１：ｅＮＢ
２：ＵＥ
１１：プロセッサ
１２：接続ユニット
１３：メモリ
２１：プロセッサ
２２：接続ユニット
２３：メモリ
【図２】
2015526035.tif 000003
【図６Ａ】
2015526035.tif 000004
【図６Ｂ】
2015526035.tif 000005
【図１】
2015526035.tif 000006
【図３】
2015526035.tif 000007
【図４】
2015526035.tif 000008
【図５Ａ】
2015526035.tif 000009
【図５Ｂ】
2015526035.tif 000010
【図５Ｃ】
2015526035.tif 000011
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
ユーザ装置での基準信号の受信強度に基づいて異なる時間間隔で基準信号が送信されるように基準信号の送信をコントロールすることを含む方法。
【請求項２】
基準信号を測定するための構成情報を受け取ることを含み、その構成情報は、受信強度の異なる基準信号が送信される時間間隔に関する指示を含むものである方法。
【請求項３】
移動ネットワークへの接続を与えるように構成された接続ユニットと；
ユーザ装置における基準信号の受信強度に基づいて異なる時間間隔で基準信号が送信されるように、基準信号の送信をコントロールするように構成されたプロセッサと；
を備えた装置。
【請求項４】
基準信号の送信をコントロールするためにミュート及び／又は電力上昇スキームが使用される、請求項３に記載の装置。
【請求項５】
前記プロセッサは、時間間隔を定義するように更に構成される、請求項３又は４に記載の装置。
【請求項６】
時間間隔に関してユーザ装置に通知するように更に構成される、請求項３又は４に記載の装置。
【請求項７】
ユーザ装置における基準信号の受信強度に関してユーザ装置からレポートを受け取るように更に構成される、請求項３又は４に記載の装置。
【請求項８】
協働マルチポイント送信では、チャンネル状態情報基準信号アクチベーションパターンを適用するように更に構成される、請求項３又は４に記載の装置。
【請求項９】
移動ネットワークへの接続を与えるように構成された接続ユニットと；
基準信号を測定するための構成情報を受信するように構成されたプロセッサと；
を備え、その構成情報は、受信強度の異なる基準信号が送信される時間間隔に関する指示を含むものである、装置。
【請求項１０】
前記構成情報は、基準信号の送信をコントロールするために使用されるミュート及び／又は電力上昇スキームに関する指示を含む、請求項９に記載の装置。
【請求項１１】
前記プロセッサは、更に、強い又は弱い基準信号を受信するように前記接続ユニットを適応させるために前記時間間隔において前記接続ユニットの入力ダイナミックレンジを調整するように構成される、請求項９又は１０に記載の装置。
【請求項１２】
前記基準信号の受信強度に関するレポートを送信するように構成される、請求項９又は１０に記載の装置。
【請求項１３】
協働マルチポイント送信では、前記構成情報は、チャンネル状態情報基準信号アクチベーションパターンに関する指示を含む、請求項９又は１０に記載の装置。
【請求項１４】
処理装置のためのプログラムを含むコンピュータプログラム製品において、前記プログラムが前記処理装置で実行されるときに請求項１又は２に記載のステップを遂行するためのソフトウェアコード部分を備えたコンピュータプログラム製品。
【国際調査報告】
2015526035.tif 000012
2015526035.tif 000013